(57)【要約】【課題】第１フォーマットのコンテンツが再生不能な光ディスク装置にして、第２フォーマットによる警告情報を知らせる光ディスク装置及び光ディスクの記録方法を提供する。【解決手段】  第１フォーマット及び第２フォーマットにより、光ディスクにレーザ光を照射して情報を記録する記録部（８，６）と、第１フォーマットでは読取処理を行うことができず第２フォーマットで読取処理を行うことができる光ディスク装置に対し、第１フォーマットで光ディスクに情報が記録されていることを警告する警告情報を生成する生成部（２３）と、光ディスクに対して第１フォーマットで情報を記録する際に、この警告情報を第２フォーマットで光ディスクに記録する制御部（３）をもつ光ディスク装置。【選択図】図１
2009009637.tif 000002
【特許請求の範囲】
【請求項１】
第１フォーマット及び第２フォーマットにより、光ディスクにレーザ光を照射して情報を記録する記録部と、
前記第１フォーマットでは読取処理を行うことができず前記第２フォーマットで読取処理を行うことができる光ディスク装置に対し、前記第１フォーマットで前記光ディスクに情報が記録されていることを警告する警告情報を生成する生成部と、
前記光ディスクに対して前記第１フォーマットで情報を記録する際に、前記生成部が生成した前記警告情報を前記第２フォーマットで前記光ディスクに記録するべく前記記録部を制御する制御部を具備することを特徴とする光ディスク装置。
【請求項２】
前記生成部が生成した前記警告情報には、タイトル情報に警告を促す情報が含まれることを特徴とする請求項１記載の光ディスク装置。
【請求項３】
前記第１フォーマットはＨＤ  ＤＶＤ−ＶＲフォーマットであり、前記第２フォーマットはＤＶＤ−ＶＲフォーマットであることを特徴とする請求項１記載の光ディスク装置。
【請求項４】
前記制御部は、前記光ディスク中に、前記ＤＶＤ−ＶＲフォーマットによるコンテンツが記録されており、前記警告情報が記録されていない場合は、前記ＨＤ  ＤＶＤ−ＶＲの記録を禁止することを特徴とする請求項３記載の光ディスク装置。
【請求項５】
前記制御部は、前記光ディスク中に、前記ＤＶＤ−ＶＲフォーマットによるコンテンツが記録されており、前記警告情報が記録されている場合は、前記ＨＤ  ＤＶＤ−ＶＲの記録のみを行うことを特徴とする請求項３記載の光ディスク装置。
【請求項６】
前記制御部は、前記第２フォーマットによるコンテンツの再生装置で認識可能なファイルシステム規格で、前記第１フォーマットによるコンテンツの記録を行うことを特徴とする請求項１記載の光ディスク装置。
【請求項７】
前記警告情報は、前記第２フォーマットによるコンテンツ中に警告メッセージを含むことを特徴とする請求項１記載の光ディスク装置。
【請求項８】
前記警告情報は、前記第２フォーマットによるコンテンツ中に警告メッセージと前記第１フォーマットにより記録したコンテンツのタイトル情報を含むことを特徴とする請求項１記載の光ディスク装置。
【請求項９】
前記制御部は、前記第１フォーマットにより新たにコンテンツを記録する際に、前記警告情報に新たなコンテンツのタイトル情報を追加することで前記警告情報を更新することを特徴とする請求項１記載の光ディスク装置。
【請求項１０】
光ディスクに対して第１フォーマットで情報を記録し、
前記第１フォーマットでは読取処理を行うことができず前記第１フォーマットとは異なる第２フォーマットで読取処理を行うことができる光ディスク装置に対し、前記第１フォーマットで前記光ディスクに情報が記録されていることを警告する警告情報を、前記第２フォーマットで前記光ディスクに記録することを特徴とする光ディスクの記録方法。
【発明の詳細な説明】
【技術分野】
【０００１】
この発明は、第１フォーマットで記録を行う際に第２フォーマットで警告情報を記録する光ディスク装置及び光ディスクの記録方法に関する。
【背景技術】
【０００２】
近年、デジタル映像技術が普及してきており、1つのメディアに対して複数のフォーマットが用いられる場合がある。しかし、複数のフォーマットで記録し再生することで混乱を招く場合があり、これへの対策としての技術も知られている。
【０００３】
特許文献１は、同じ種類のメディアに対して異なる物理フォーマットで記録した場合に、 一方の物理フォーマットで記録したディスクに対して更にもう一方の物理フォーマットで記録することにより、正常なディスクとして認識できないようにする技術が開示されている。
【特許文献１】特開２００３−３４６４２８号公報
【発明の開示】
【発明が解決しようとする課題】
【０００４】
しかし、特許文献１の従来技術では、一つの媒体上で複数の種類のアプリケーションデータの共存が不可能なため、互換性の排除ができたとしても、ユーザの利便性は低いという問題がある。
【０００５】
本発明は、アプリケーションデータを記録する際に、該アプリケーションデータを再生不能の再生装置にて不用意に削除されないようにする光ディスク装置及び光ディスクの記録方法を提供することを目的とする。
【課題を解決するための手段】
【０００６】
課題を解決するための一実施形態は、
第１フォーマット（ＨＤ  ＤＶＤ−ＶＲ）及び第２フォーマット（ＤＶＤ−ＶＲ）により、光ディスク（Ｄ）にレーザ光を照射して情報を記録する記録部（８，６）と、
前記第１フォーマットでは読取処理を行うことができず前記第２フォーマットで読取処理を行うことができる光ディスク装置に対し、前記第１フォーマットで前記光ディスクに情報が記録されていることを警告する警告情報を生成する生成部（２３）と、
前記光ディスクに対して前記第１フォーマットで情報を記録する際に、前記生成部が生成した前記警告情報を前記第２フォーマットで前記光ディスクに記録するべく前記記録部を制御する制御部（３）を具備することを特徴とする光ディスク装置である。
【発明の効果】
【０００７】
媒体にアプリケーションデータを記録する際に、そのアプリケーションデータを再生できない記録装置が誤ってそのアプリケーションデータを初期化して削除してしまわないように、その記録装置が再生可能なフォーマットで警告情報を媒体に記録しておく。
【発明を実施するための最良の形態】
【０００８】
以下、この発明の実施の形態について図面を参照して詳細に説明する。
【０００９】
本発明の一実施形態は、以下に示すように、例えば、１フォーマット対応の情報記録再生装置１と複数フォーマット対応の情報記録再生装置２との間において、有効となるものである。図１及び図２は、本発明の一実施形態に係る光ディスク装置と他の光ディスク装置との関係の一例を示す説明図である。図３は、本発明の一実施形態に係る光ディスク装置が生成するディレクトリファイルの一例を示す説明図である。図４は、同じく発明の一実施形態に係る光ディスク装置と他の光ディスク装置との関係の一例を示す説明図である。
【００１０】
＜本発明の一実施形態に係る情報記録再生装置と他の光ディスク装置との関係の一例＞
（趣旨）
本発明の一実施形態に係る情報記録再生装置２は、例えば、図１に示すように、複数の第１・第２フォーマットに関し媒体Ｄ上に記録及び再生処理が可能な情報記録再生装置２により、第１フォーマットのコンテンツを記録する場合、その後、他方の情報記録再生装置１により誤って第１フォーマットのコンテンツを削除してしまわないよう、第２フォーマットの警告情報を媒体Ｄ上に記録することを特徴とする。
【００１１】
又、本発明の一実施形態に係る情報記録再生装置２は、例えば、図２に示すように、複数の第１・第２フォーマットに関し媒体Ｄ上に記録及び再生処理が可能な情報記録再生装置２により、第１フォーマットのコンテンツを記録しようとした場合、媒体Ｄ上に第１フォーマットのコンテンツがなく第２フォーマットのコンテンツがあり第２フォーマットの警告情報がない場合は、第１フォーマットのコンテンツの記録を禁止することを特徴とする。
【００１２】
又、本発明の一実施形態に係る情報記録再生装置２は、例えば、図３に示すように、複数の第１・第２フォーマットに関し媒体Ｄ上に記録及び再生処理が可能な情報記録再生装置２により、第１フォーマットのコンテンツを記録し、第２フォーマットのコンテンツを記録する場合、同じファイルシステムのフォーマットを用いる。これにより、複数のフォーマットのコンテンツを同一の媒体Ｄ，Ｄ２で、記録し再生することが可能となる。
【００１３】
又、上述した本発明の一実施形態に係る情報記録再生装置１，２は、例えば、図４に示すように、ＤＶＤ−ＶＲレコーダ１’及びＨＤ  ＤＶＤ−ＶＲレコーダ２’であり、ＤＶＤ−ＶＲレコーダ１’は、ＤＶＤである光ディスクＤだけにアクセス可能なのに対して、ＨＤ  ＤＶＤ−ＶＲレコーダ２’は、ＤＶＤである光ディスクＤと、ＨＤ  ＤＶＤである光ディスクＤ２のそれぞれに対して、記録処理及び再生処理が可能である。
【００１４】
なお、上述した本発明の一実施形態に係る情報記録再生装置２が、第２フォーマットの警告情報を記録するのは、一例として、レガシーＤＶＤである光ディスクＤに対してである。
【００１５】
次に、上述した本発明の一実施形態に係る情報記録再生装置１，２の構成の一例を、図５及び図６を用いて以下に説明する。
【００１６】
（１フォーマット対応の光ディスク装置の構成と動作）
図５は、光ディスク装置の構成の一例を示すブロック図である。本発明の一実施形態に係る光ディスク装置１’は、図５に示すように、光ディスクＤと、全体の動作を制御する制御部３と、光ディスクＤ等から読み出したストリーム等を格納するバッファ５と、光ピックアップのレーザ光を制御するＬＤＤ６と、光ピックアップヘッド及びこの光ピックアップヘッドの位置を制御するＰＵＨアクチュエータ８と、光ピックアップヘッドから検出した検出信号を受光して信号を出力するＰＤ１０を有する。
【００１７】
更に、光ディスク装置１は、図５に示すように、検出した信号を適宜増幅するプリアンプ１２と、ＤＶＤ−ＶＲのコンテンツ情報を復号処理するＤＶＤ−ＶＲ処理部１４と、復号された読取信号である映像信号や音声信号を処理する再生回路１５と、スピンドルモータ２０を適正な速度に制御するサーボ回路１８と、スピンドルモータ２０と、ストリーム等を格納する着脱可能なメモリである着脱可能なメモリ２１と、インターネット等のネットワークを介してストリーム等を取得するための通信部２２を有している。
【００１８】
本発明の一実施形態に係る光ディスク装置１は、光学ヘッド（Optical Pick-Up Head）ＰＵＨアクチュエータ８から出射されるレーザ光を、スピンドルモータ２０で回転駆動される光ディスクＤ内の情報記録層に集光する（フォーカスサーボにより対象記録層に焦点を合わせる）ことで、情報の記録再生を行っている。光ディスクＤから反射した光は、再びＰＵＨアクチュエータ８の光学系を通過し、ＰＤ（フォトディテクタ）１０で電気信号として検出される。
【００１９】
検出された電気信号は、プリアンプ１２で増幅され、サーボ回路１８及びＤＶＤ−ＶＲ処理部１４に出力される。サーボ回路１８では、フォーカス、トラッキング、チルト、回転速度等のサーボ信号が生成され、各サーボ信号が、それぞれ、ＰＵＨアクチュエータ８内の図示しないフォーカス、トラッキング、及びチルトアクチュエータに出力される。又、回転速度のサーボ信号はスピンドルモータ２０の駆動回路系に送られ、ディスクの記録層上におけるレーザビームスポットの線速度が所定値に制御される。
【００２０】
制御部３は、アドレス情報を元に、所望のアドレス位置のデータ（ユーザデータ等）を読み出したり、所望のアドレス位置にデータを記録したりする。その際、記録データは、ＬＤＤ（レーザダイオード駆動回路）６内の図示しない記録波形回路で光ディスク記録に適した記録波形制御信号に変調される。この変調された信号を元に、ＬＤＤ６はレーザダイオードを発光させ、光ディスクＤに情報を記録する。
【００２１】
（複数フォーマット対応の光ディスク装置の構成と動作）
次に、複数フォーマット対応の光ディスク装置の構成と動作を説明する。図６は、本発明の一実施形態に係る光ディスク装置の構成の一例を示すブロック図である。
【００２２】
本発明の一実施形態に係る光ディスク装置２’は、図６に示すように、光ディスクＤと、全体の動作を制御する制御部３と、光ディスクＤ等から読み出したストリーム等を格納するバッファ５と、光ピックアップのレーザ光を制御するＬＤＤ６と、光ピックアップヘッド及びこの光ピックアップヘッドの位置を制御するＰＵＨアクチュエータ８と、光ピックアップヘッドから検出した検出信号を受光して信号を出力するＰＤ１０を有する。
【００２３】
更に、光ディスク装置２’は、図６に示すように、検出した信号を適宜増幅するプリアンプ１２と、ＤＶＤ−ＶＲのコンテンツ情報を復号処理するＤＶＤ−ＶＲ処理部１４と、復号された読取信号である映像信号や音声信号を処理する再生回路１５と、ＨＤ  ＤＶＤ−ＶＲのコンテンツ情報をＡＡＣＳ（Advanced access content system）処理等により復号処理するＨＤ  ＤＶＤ−ＶＲ処理回路１６と、復号された読取信号である映像信号や音声信号を処理する再生回路１７と、スピンドルモータ２０を適正な速度に制御するサーボ回路１８と、スピンドルモータ２０と、ストリーム等を格納する着脱可能なメモリである着脱可能なメモリ２１と、インターネット等のネットワークを介してストリーム等を取得するための通信部２２を有している。
【００２４】
更に、光ディスク装置２’は、図６に示すように、後述するＤＶＤ−ＶＲ警告情報を生成するＤＶＤ−ＶＲ警告情報生成部２３と、後述するＤＶＤ−ＶＲ警告情報を検出するＤＶＤ−ＶＲ警告情報検出部２４を有している。
【００２５】
本発明の一実施形態に係る光ディスク装置２’は、光学ヘッド（Optical Pick-Up Head）ＰＵＨアクチュエータ８から出射されるレーザ光を、スピンドルモータ２０で回転駆動される光ディスクＤ内の情報記録層に集光する（フォーカスサーボにより対象記録層に焦点を合わせる）ことで、情報の記録再生を行っている。光ディスクＤから反射した光は、再びＰＵＨアクチュエータ８の光学系を通過し、ＰＤ（フォトディテクタ）１０で電気信号として検出される。
【００２６】
検出された電気信号は、プリアンプ１２で増幅され、サーボ回路１８及びＤＶＤ−ＶＲ処理部１４に出力される。サーボ回路１８では、フォーカス、トラッキング、チルト、回転速度等のサーボ信号が生成され、各サーボ信号が、それぞれ、ＰＵＨアクチュエータ８内の図示しないフォーカス、トラッキング、及びチルトアクチュエータに出力される。又、回転速度のサーボ信号はスピンドルモータ２０の駆動回路系に送られ、ディスクの記録層上におけるレーザビームスポットの線速度が所定値に制御される。
【００２７】
制御部３は、アドレス情報を元に、所望のアドレス位置のデータ（ユーザデータ等）を読み出したり、所望のアドレス位置にデータを記録したりする。その際、記録データは、ＬＤＤ（レーザダイオード駆動回路）６内の図示しない記録波形回路で光ディスク記録に適した記録波形制御信号に変調される。この変調された信号を元に、ＬＤＤ６はレーザダイオードを発光させ、光ディスクＤに情報を記録する。
【００２８】
＜本発明の一実施形態に係る光ディスク装置が行なう警告処理の一例＞
次に、本発明の一実施形態に係る光ディスク装置２’が行なう警告処理の一例をフローチャートを用いて説明する。図７は、本発明の一実施形態に係る光ディスク装置が示すコンテンツリストの一例を示す説明図である。図８及び図９は、同じく光ディスク装置が生成する警告画面の一例を示す説明図である。
【００２９】
又、図１０乃至図１２は、本発明の一実施形態に係る光ディスク装置による警告タイトルの生成処理の一例を示すフローチャートである。図１３は、本発明の一実施形態に係る光ディスク装置による記録処理の一例を示すフローチャートである。
【００３０】
なお、以下の図１０乃至図１３のフローチャートの各ステップは、回路ブロックに置き換えることができ、従って、各フローチャートのステップは、全てブロックに定義しなおすことが可能である。
【００３１】
・警告情報の記録処理
本発明の一実施形態に係る光ディスク装置２’は、以下の手順に応じて、警告タイトル等の警告情報を記録する。光ディスク装置２’は、一例として、上述したＨＤ  ＤＶＤ−ＶＲとＤＶＤ−ＶＲとを記録・再生できるＨＤ  ＤＶＤ−ＶＲレコーダであり、一例として、レガシーＤＶＤに対して、ＨＤ  ＤＶＤ−ＶＲフォーマットとＤＶＤ−ＶＲフォーマットで記録が可能である。
【００３２】
初めに、図１０のフローチャートに示すように、光ディスク装置２’が記録指示を受けると、制御部３及びＤＶＤ−ＶＲ警告情報生成部２３は、記録の対象の光ディスクがレガシーＤＶＤであるかどうかを判断する（ステップＳ１１）。制御部３及びＤＶＤ−ＶＲ警告情報生成部２３は、記録の対象の光ディスクがレガシーＤＶＤであると判断すれば、次に、ＨＤ  ＤＶＤ−ＶＲフォーマットで記録が指示されているかどうかを判断し（ステップＳ１２）、そうであれば、ＨＤ  ＤＶＤ−ＶＲフォーマットでコンテンツ等を光ディスクＤ２に記録する（ステップＳ１３）。次に、制御部３及びＤＶＤ−ＶＲ警告情報検出部２４は、記録の対象の光ディスクに既に警告タイトル等の警告情報が記録されているかどうかを判断する（ステップＳ１４）。制御部３及びＤＶＤ−ＶＲ警告情報検出部２４は、記録の対象の光ディスクに警告タイトル等の警告情報が記録されていないと判断すれば、制御部３及びＤＶＤ−ＶＲ警告情報生成部２３は、警告タイトル等の警告情報を生成して、対象の光ディスクに記録する（ステップＳ１５）。
【００３３】
この警告タイトル等の警告情報の一例は、図７に示すものであり、例えば、ＤＶＤ−ＶＲフォーマットのコンテンツのみしか再生できないＤＶＤ−ＶＲレコーダ１’によっても、警告タイトルＫが表示できる。従って、ユーザは、通常では認識できないが、警告タイトルＫにより、例えば、ＨＤ  ＤＶＤ−ＶＲフォーマットのコンテンツがレガシーＤＶＤ中に記録されていることを理解できる。従って、この警告情報によって、誤ってフォーマット等により、ＨＤ  ＤＶＤ−ＶＲフォーマットのコンテンツを消去してしまうということがなくなる。
【００３４】
なお、この警告情報は、図７に示すように警告タイトルＫだけでも効果があるが、図８に示すように、『このディスクには、第１フォーマット（例えばＨＤ  ＤＶＤ−ＶＲ等）のデータが記録されています。第２フォーマット（例えばＤＶＤ−ＶＲ等）のプレーヤでは表示されませんが、消去や初期化を行なう場合は第１フォーマットのプレーヤで内容を確かめてから行なって下さい』等の警告画面Ｒを設けることが好適である。すなわち、ユーザが警告タイトルＫを指定して再生すると、図８のような警告画面Ｒが表示されることで、通常、画面では認識し得ないＨＤ  ＤＶＤ−ＶＲフォーマットのコンテンツの存在を知ることができる。
【００３５】
更に、この警告タイトルＫは、図１１のフローチャートのステップＳ２１において、制御部３及びＤＶＤ−ＶＲ警告情報生成部２３により、ユーザに見落とされないように、タイトルリスト上の先頭位置となるように、光ディスクＤ２に記録することが好適である。
【００３６】
又、更に、制御部３及びＤＶＤ−ＶＲ警告情報生成部２３により、図１２のフローチャートのステップＳ２２において、全てのＨＤ  ＤＶＤ−ＶＲのコンテンツのリストを示すＤＶＤ−ＶＲによる警告情報を記録することが好適である。すなわち、図９の警告画面Ｒ２が示すように、現在、レガシーＤＶＤにＨＤ  ＤＶＤ−ＶＲフォーマットで記録されているコンテンツのタイトル名や記録日時、時間等の情報を同時に表示することが好適である。これによりユーザは、具体的なＨＤ  ＤＶＤ−ＶＲのコンテンツの内容を知ることができる。
【００３７】
更に、このようなＨＤ  ＤＶＤ−ＶＲのコンテンツのリストを警告情報に含める場合は、制御部３及びＤＶＤ−ＶＲ警告情報生成部２３は、既に警告情報が存在する場合は（ステップＳ１４）、ＨＤ  ＤＶＤ−ＶＲのコンテンツのリストを更新した上で、既にあるＤＶＤ−ＶＲによる警告コンテンツに置き換えて記録する必要がある（ステップＳ２３）。
【００３８】
・記録フォーマットの制限
更に、本発明の一実施形態である光ディスク装置２’において、多くの記録フォーマットが拡散しないように、記録フォーマットの制限を加えることが好適である。
【００３９】
すなわち、本発明の一実施形態である光ディスク装置２’において、図１３のフローチャートが示すように、制御部３は、ディスク中にＤＶＤ−ＶＲのコンテンツが記録されているかを判断する（ステップＳ３１）。そして、制御部３が、ディスク中にＤＶＤ−ＶＲのコンテンツが記録されていると判断すれば、次に、既に警告タイトルが存在するかどうかを判断する（ステップＳ３２）。そして、制御部３が、ディスク中に既に警告タイトルが存在すると判断すれば、ステップＳ３４に進み、ＤＶＤ−ＶＲのコンテンツのみを記録することが好適である。
【００４０】
更に、ステップＳ３２で制御部３が、警告タイトルが存在すると判断すれば、ステップＳ３５に進み、ＨＤ  ＤＶＤ−ＶＲのコンテンツのみを記録することが好適である。
【００４１】
更に、ステップＳ３１で制御部３が、ディスク中にＤＶＤ−ＶＲのコンテンツが記録されていないと判断すれば、ステップＳ３３に進み、ディスク中にＨＤ  ＤＶＤ−ＶＲのコンテンツが記録されているかどうかを判断する。そして、制御部３が、ディスク中にＨＤ  ＤＶＤ−ＶＲのコンテンツが記録されていると判断すれば、ステップＳ３５に進み、ＨＤ  ＤＶＤ−ＶＲのコンテンツのみを記録することが好適である。
【００４２】
更に、制御部３が、ステップＳ３３で、ディスク中にＨＤ  ＤＶＤ−ＶＲのコンテンツが記録されていないと判断すれば、ステップＳ３６に進み、ＨＤ  ＤＶＤ−ＶＲのコンテンツ又はＤＶＤ−ＶＲのコンテンツの一方を記録することが好適である。
【００４３】
このように制御部３により、ディスク中に警告情報や各フォーマットのコンテンツがどのように記録されているかを識別し、これに応じて、各フォーマットの記録の制限を加えることで、多くの記録フォーマットが拡散せずに記録を行なうことが可能となる。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４５】
例えば、上述した記録再生装置においては、ＤＶＤ−ＶＲフォーマットとＨＤ  ＤＶＤ−ＶＲフォーマットによる実施形態を説明したが、本発明は、必ずしもこれらのフォーマットに限定されるものではなく、他の複数のアプリケーションフォーマットにおいても、同様の警告情報を生成することが、同様の作用効果をもたらすことは言うまでもない。
【図面の簡単な説明】
【００４６】
【図１】本発明の一実施形態に係る光ディスク装置と他の光ディスク装置との関係の一例を示す説明図。
【図２】本発明の一実施形態に係る光ディスク装置と他の光ディスク装置との関係の他の一例を示す説明図。
【図３】本発明の一実施形態に係る光ディスク装置が生成するディレクトリファイルの一例を示す説明図。
【図４】本発明の一実施形態に係る光ディスク装置と他の光ディスク装置との関係の一例を示す説明図。
【図５】他の光ディスク装置の構成の一例を示すブロック図。
【図６】本発明の一実施形態に係る光ディスク装置の構成の一例を示すブロック図。
【図７】本発明の一実施形態に係る光ディスク装置が示すコンテンツリストの一例を示す説明図。
【図８】本発明の一実施形態に係る光ディスク装置が生成する警告画面の一例を示す説明図。
【図９】本発明の一実施形態に係る光ディスク装置が生成する警告画面の他の一例を示す説明図。
【図１０】本発明の一実施形態に係る光ディスク装置による警告タイトルの生成処理の一例を示すフローチャート。
【図１１】本発明の一実施形態に係る光ディスク装置による警告タイトルの生成処理の他の一例を示すフローチャート。
【図１２】本発明の一実施形態に係る光ディスク装置による警告タイトルの生成処理の他の一例を示すフローチャート。
【図１３】本発明の一実施形態に係る光ディスク装置による記録処理の一例を示すフローチャート。
【符号の説明】
【００４７】
Ｄ…光ディスク、３…制御部、５…バッファ、６…レーザダイオードドライバ、８…ＰＵＨアクチュエータ、１０…フォトデテクタ、１２…プリアンプ、１４…ＤＶＤ−ＶＲ処理部、１５…再生回路、１６…ＨＤ  ＤＶＤ−ＶＲ処理部、１７…再生回路、２３…ＤＶＤ−ＶＲ警告タイトル生成部、２４…ＤＶＤ−ＶＲ警告タイトル検出部。
【図１】
2009009637.tif 000003
【図２】
2009009637.tif 000004
【図３】
2009009637.tif 000005
【図４】
2009009637.tif 000006
【図５】
2009009637.tif 000007
【図６】
2009009637.tif 000008
【図７】
2009009637.tif 000009
【図８】
2009009637.tif 000010
【図９】
2009009637.tif 000011
【図１０】
2009009637.tif 000012
【図１１】
2009009637.tif 000013
【図１２】
2009009637.tif 000014
【図１３】
2009009637.tif 000015